(57)【要約】  【課題】耐熱性が低い合成樹脂製の補強板が接着されているフレキシブルプリント配線板をリフローはんだ付けする際に、補強板の熱変形を防止することができるはんだ付け用実装治具を提供する。  【解決手段】熱変形温度がはんだの溶融温度以下の合成樹脂製の補強板１１を接着してなるフレキシブルプリント配線板１０のはんだ付け用実装治具２０において、該実装治具２０は、熱伝導性の高い金属で形成されて前記フレキシブルプリント配線板１０を載置する載置部２１と、前記補強板１１が接着された部分を挿入するために前記載置部２１に設けられた収納部２２と、該収納部２２の両面から当接して収納部２２を被蔽する保護カバー２３とから構成する。【選択図】図２
2008124328.tif 000002
【特許請求の範囲】
【請求項１】
熱変形温度がはんだの溶融温度以下の合成樹脂製の補強板を接着してなるフレキシブルプリント配線板のはんだ付け用実装治具において、
該実装治具は、熱伝導性の高い金属で形成されて前記フレキシブルプリント配線板を載置する載置部と、前記補強板が接着された部分を挿入するために前記載置部に設けられた収納部と、該収納部の両面から当接して収納部を被蔽する保護カバーとから構成されたことを特徴とするフレキシブルプリント配線板の実装治具。
【請求項２】
上記収納部は、上記載置部の所定位置に上下方向へ貫通する開口穴であることを特徴とする請求項１記載のフレキシブルプリント配線板の実装治具。
【請求項３】
上記保護カバーは、断熱材の外側に遮熱用金属板を貼り合せて形成されたことを特徴とする請求項１または２記載のフレキシブルプリント配線板の実装治具。
【発明の詳細な説明】
【技術分野】
【０００１】
本発明はフレキシブルプリント配線板の実装治具に関するものであり、特に、コネクタの端子部分に耐熱性の低い合成樹脂製の補強板が接着されているフレキシブルプリント配線板をリフローはんだ付けする際に、補強板の熱変形を防止することができるはんだ付け用実装治具に関するものである。
【背景技術】
【０００２】
フレキシブルプリント配線板は、一般にポリイミドなどの耐熱性の高い合成樹脂を使用しているが、例えばコネクタの端子部分などでは、ポリイミドは弾性変形が生じやすく、経時変形で接触不良を起こすことがある。したがって、長時間塑性変形が生じにくい合成樹脂の補強板が接着されている。例えば、ポリエステルなどは、弾力性を有して経時変形が少なく、コネクタの端子部分の補強板に使用した場合、接触不良が生じにくくコストも安い。しかし、ポリエステルは熱変形温度が８０℃と低いため、リフローはんだ付けでの部品実装は不適当であった。
【０００３】
熱変形温度がはんだの溶融温度以下の合成樹脂を使用した基板をはんだ付けする場合、例えば特許文献１では、断熱性板材よりなる断熱性ホルダーが、はんだ付けされる電子部品の所定単位でそれらランドやリードを囲繞するはんだ付け囲繞領域が薄肉に形成されるとともに、各電子部品におけるランド間部分が前記薄肉部分よりも厚肉に形成され、フレキシブルプリント配線板のランドにリードをはんだ付けする際に、これらランドおよびリードが断熱性ホルダーに設けられた開口部分に位置するように、フレキシブルプリント配線板をはんだ付け用治具に当接する構成が開示されている。
【特許文献１】特開平１１−２６９２４号公報
【発明の開示】
【発明が解決しようとする課題】
【０００４】
特許文献１記載の発明は、フローはんだ付け（ウェーブはんだ付け）に使用される治具であり、ブリッジの発生を防止することによって、生産性の向上とはんだ付け部分の接続信頼性を図るものである。しかし、フレキシブルプリント配線板に接着される補強板に関する記載はまったくない。
【０００５】
そこで、本発明は、耐熱性が低い合成樹脂製の補強板が接着されているフレキシブルプリント配線板をリフローはんだ付けする際に、補強板の熱変形を防止することができるはんだ付け用実装治具を提供することを目的とする。
【課題を解決するための手段】
【０００６】
本発明は上記目的を達成するために提案されたものであり、請求項１記載の発明は、熱変形温度がはんだの溶融温度以下の合成樹脂製の補強板を接着してなるフレキシブルプリント配線板のはんだ付け用実装治具において、該実装治具は、熱伝導性の高い金属で形成されて前記フレキシブルプリント配線板を載置する載置部と、前記補強板が接着された部分を挿入するために前記載置部に設けられた収納部と、該収納部の両面から当接して収納部を被蔽する保護カバーとから構成されたことを特徴とするフレキシブルプリント配線板の実装治具を提供する。
【０００７】
この構成によれば、実装治具の載置部にフレキシブルプリント配線板が載置され、載置部に設けられた収納部へ、補強板が接着されている部分を挿入する。そして、該収納部の両面から保護カバーを当接して収納部を被蔽することにより、リフローはんだ付けする際、フレキシブルプリント配線板の実装部分がはんだの溶融温度まで上昇したときに、補強板の部分は保護カバーによって遮熱される。かくして、補強板の温度上昇が抑止され、該補強板が熱変形温度を超えて熱変形することを防止できる。
【０００８】
請求項２記載の発明は、上記収納部は、上記載置部の所定位置に上下方向へ貫通する開口穴であることを特徴とする請求項１記載のフレキシブルプリント配線板の実装治具を提供する。
【０００９】
この構成によれば、収納部が上下方向へ貫通する開口穴であるので、例えばフレキシブルプリント配線板に設けられているコネクタの端子部分であっても、該端子部分だけを収納部分に収納して保護カバーで遮熱し、他の実装部分は載置部に載置してはんだ付けを行うことができる。
【００１０】
請求項３記載の発明は、上記保護カバーは、断熱材の外側に遮熱用金属板を貼り合せて形成されたことを特徴とする請求項１または２記載のフレキシブルプリント配線板の実装治具を提供する。
【００１１】
この構成によれば、保護カバーが断熱材の外側に遮熱用金属板を貼り合せて形成されているので、リフローはんだ付けする際、実装治具にかかる熱が金属板で遮熱されるとともに、断熱材で収納部の中へ熱が伝導するのが抑止され、補強板の温度上昇を熱変形温度以下にすることができる。
【発明の効果】
【００１２】
本発明は、耐熱性が低い合成樹脂製の補強板が接着されているフレキシブルプリント配線板をリフローはんだ付けする際に、実装治具の載置部にフレキシブルプリント配線板を載置し、補強板の部分は収納部へ挿入して上下両側から保護カバーで被蔽することにより、はんだ付けを行う際に、耐熱性が低い補強板にかかる熱を熱変形温度以下に抑止することができる。
【００１３】
かくして、例えばフレキシブルプリント配線板のコネクタの端子部分に、ポリエステルなどの耐熱性が低い合成樹脂を使用している場合でも、リフローはんだ付けにて部品実装を行うことが可能となる。また、保護カバーとしては、アルミニウムなどの遮熱用金属板とガラスエポキシ樹脂などの断熱材といった容易に使用しやすい安価な材料で、きわめて効果的に補強板を高熱から保護することができる。
【発明を実施するための最良の形態】
【００１４】
以下、本発明に係るフレキシブルプリント配線板の実装治具について、好適な実施例をあげて説明する。耐熱性が低い合成樹脂製の補強板が接着されているフレキシブルプリント配線板をリフローはんだ付けする際に、補強板の熱変形を防止することができるはんだ付け用実装治具を提供するという目的を達成するために、本発明は熱変形温度がはんだの溶融温度以下の合成樹脂製の補強板を接着してなるフレキシブルプリント配線板のはんだ付け用実装治具において、該実装治具は、熱伝導性の高い金属で形成されて前記フレキシブルプリント配線板を載置する載置部と、前記補強板が接着された部分を挿入するために前記載置部に設けられた収納部と、該収納部の両面から当接して収納部を被蔽する保護カバーとから構成したことにより実現した。
【実施例１】
【００１５】
図１および図２は本発明に係る実装治具を示し、同図に示す実装治具２０は、熱変形温度がはんだの溶融温度（２００〜２３０℃）以下の合成樹脂製の補強板１１を接着してなるフレキシブルプリント配線板１０を、リフローはんだ付けする際に使用されるものである。本実施例では、コネクタの端子１２の裏面側に接着された補強板１１は、弾力性を有して経時変形が少ない、例えばポリエステルなどの耐熱性の低い合成樹脂で形成されている。ポリエステルは熱変形温度が８０℃と低いため、本来はリフローはんだによる実装には不適当である。
【００１６】
前記実装治具２０は、フレキシブルプリント配線板１０を載置する載置部２１と、前記補強板１１が接着されたコネクタの端子１２部分を挿入するために前記載置部２１に設けられた収納部２２と、該収納部２２の上下両面から当接して収納部２２を被蔽する保護カバー２３とから構成されている。
【００１７】
前記載置部２１はアルミニウムなどの熱伝導性の高い金属で形成され、フレキシブルプリント配線板１０の実装部分がはんだの溶融温度２００〜２３０℃まで上昇したときに、良好な放熱効果が得られるようになっている。また、前記収納部２２の大きさは、補強板１１が接着されているコネクタ端子１２部分が収納できる大きさとし、上下方向へ貫通する開口穴である。
【００１８】
前記収納部２２を被蔽する保護カバー２３は、断熱材２４の外側に遮熱用金属板２５を貼り合わせて形成される。本実施例では例えば、厚み１ｍｍのアルミニウム板などの遮熱用金属板２５と、厚み１．５ｍｍのガラスエポキシ積層板などの断熱材２４を使用する。なお、保護カバー２３を収納部２２の両面へ当接して固定する手段は、粘着材による粘着をはじめとして任意の方法で固定する。
【００１９】
この状態で、リフローはんだ付けを行なうと、実装治具の載置部２１に載置されているフレキシブルプリント配線板１０の実装部分がはんだの溶融温度まで上昇したときに、実装治具２０にかかる熱が保護カバー２３で遮熱されて、収納部２２の中へ熱が伝導するのを抑止する。したがって、耐熱性の低い補強板１１にかかる熱を熱変形温度以下にすることができる。
【００２０】
かくして、フレキシブルプリント配線板１０のコネクタの端子１２に、ポリエステルなどの耐熱性が低い補強板１１を接着している場合でも、リフローはんだ付けにて部品実装を行うことが可能となる。また、保護カバー２３としては、アルミニウムなどの遮熱用金属板２５とガラスエポキシ樹脂などの断熱材２４といった容易に使用しやすい安価な材料で、きわめて効果的に補強板を高熱から保護することができる。
【００２１】
なお、本発明は、本発明の精神を逸脱しない限り種々の改変を為すことができ、そして、本発明が該改変されたものに及ぶことは当然である。
【図面の簡単な説明】
【００２２】
【図１】本発明に係る実装治具の平面図。
【図２】図１のＡ−Ａ線断面図。
【符号の説明】
【００２３】
１０  フレキシブルプリント配線板
１１  補強板
１２  コネクタの端子
２０  実装治具
２１  載置部
２２  収納部
２３  保護カバー
２４  断熱材
２５  遮熱用金属板
【図１】
2008124328.tif 000003
【図２】
2008124328.tif 000004